(57)【要約】【課題】２本の枠材が３次元方向の角度を形成し、かつ、高い強度を有するように接合することが可能なコーナー部材等を提供する。【解決手段】面材が取り付けられる枠体を構成する縦枠及び横枠を接合するためのコーナー部材であって、所定角度を形成すべく連結され、前記縦枠及び前記横枠にそれぞれ挿入されて固定される一対のブロック材と、前記一対のブロック材のうちの少なくともいずれか一方のブロック材に係合された係合部材と、を備え、前記一方のブロック材は、挿入された前記縦枠または前記横枠の２組の対向する内面のうちの一方の対向する内面に接触され、前記係合部材は、前記２組の対向する内面のうちの他方の対向する内面に接触されるとともに、前記縦枠と前記横枠との相対移動に伴って、前記一方の対向する内面に沿う方向に移動して傾斜される。【選択図】図７
2008075282.tif 000002
【特許請求の範囲】
【請求項１】
面材が取り付けられる枠体を構成する縦枠及び横枠を接合するためのコーナー部材であって、
所定角度を形成すべく連結され、前記縦枠及び前記横枠にそれぞれ挿入されて固定される一対のブロック材と、
前記一対のブロック材のうちの少なくともいずれか一方のブロック材に係合された係合部材と、
を備え、
前記一方のブロック材は、挿入された前記縦枠または前記横枠の２組の対向する内面のうちの一方の対向する内面に接触され、
前記係合部材は、前記２組の対向する内面のうちの他方の対向する内面に接触されるとともに、前記縦枠と前記横枠との相対移動に伴って、前記一方の対向する内面に沿う方向に移動して傾斜されることを特徴とするコーナー部材。
【請求項２】
請求項１に記載のコーナー部材であって、
前記一対のブロック材は、所定方向の軸を中心に回動自在に連結されていることを特徴とするコーナー部材。
【請求項３】
請求項１または請求項２に記載のコーナー部材であって、
前記一方のブロック材が前記縦枠または前記横枠に挿入された際に、当該縦枠または当該横枠の前記他方の対向する内面と、前記一方のブロック材との間に間隙が形成されるように構成されていることを特徴とするコーナー部材。
【請求項４】
請求項２または請求項３に記載のコーナー部材であって、
前記一対のブロック材及び前記係合部材が、各々の接合面の形状が同一に形成された前記縦枠または前記横枠に挿入されつつ前記縦枠と前記横枠とが接合される際に、
前記縦枠の接合面と前記横枠の接合面とが重なるように、前記一対のブロック材が回動されるとともに前記係合部材が移動されることにより、
前記縦枠と前記横枠とのなす角度が決定されることを特徴とするコーナー部材。
【請求項５】
請求項１乃至請求項４のいずれかに記載のコーナー部材を用いて形成したことを特徴とするパネルユニット。
【発明の詳細な説明】
【技術分野】
【０００１】
本発明は、枠体を構成する縦枠と横枠とを接合するためのコーナー部材、及び、このコーナー部材を用いたパネルユニットに関する。
【背景技術】
【０００２】
建物の外壁を形成するパネルユニットとしてのカーテンウォールユニットが、外壁の３次元方向の曲面を、その曲面を分割した複数の曲面部を面状とした多面体として構成するように建物の躯体に取り付けられることが知られている。このカーテンウォールユニットは、枠体を方形状の面状に枠組みした後に、面外方向に捻り加工して捻れた枠体を形成し、形成された捻れた枠体にパネルが装着されて構成されている（例えば、特許文献１参照）。
【特許文献１】特許第３７２３９５９号明細書
【発明の開示】
【発明が解決しようとする課題】
【０００３】
捻り加工する際には、方形状の枠体のうちの接合される２本の枠材、例えば縦枠材と横枠材とを３次元方向の角度を形成しつつ高い強度を有するように接合することは難しい。このため、捻り加工した枠体が平坦な場所に積み上げられたり、重ねて立てかけられたりするような不安定状態で放置されると、縦枠材と横枠材との接合部が外れたり、接合部に設けられたシール材が破損する畏れがあるという課題があった。
【０００４】
本発明は、かかる課題に鑑みてなされたものであり、その目的とするところは、２本の枠材が３次元方向の角度を形成し、かつ、高い強度を有するように接合することが可能なコーナー部材、及び、このコーナー部材を用いたパネルユニットを提供することにある。
【課題を解決するための手段】
【０００５】
かかる目的を達成するために本発明のコーナー部材は、面材が取り付けられる枠体を構成する縦枠及び横枠を接合するためのコーナー部材であって、所定角度を形成すべく連結され、前記縦枠及び前記横枠にそれぞれ挿入されて固定される一対のブロック材と、前記一対のブロック材のうちの少なくともいずれか一方のブロック材に係合された係合部材とを備え、前記一方のブロック材は、挿入された前記縦枠または前記横枠の２組の対向する内面のうちの一方の対向する内面に接触され、前記係合部材は、前記２組の対向する内面のうちの他方の対向する内面に接触されるとともに、前記縦枠と前記横枠との相対移動に伴って、前記一方の対向する内面に沿う方向に移動して傾斜されることを特徴とするコーナー部材である。
【０００６】
このようなコーナー部材によれば、連結された一対のブロック材が所定角度を形成するので、各々のブロック材が挿入された縦枠と横枠とが所定角度に連結される。このとき、一方のブロック材は、挿入された縦枠または横枠が有する２組の対向する内面のうちの一方の対向する内面に接触されているので、接触されている内面との間においてブロック材が、ガタつかないように縦枠または横枠を装着することが可能である。また、一方のブロック材に係合されている係合部材は他方の対向する内面に接触されるので、他方の対向する内面との間においては係合部材が、ガタつかないように縦枠または横枠を装着することが可能である。このため、係合部材が係合された一方のブロック材が挿入された縦枠または横枠は、一方の対向する内面側及び他方の対向する内面側のいずれにも面接触して、ガタつくことなく安定した状態でコーナー部材に装着される。さらに、係合部材は、縦枠と横枠との相対移動に伴って、一方の対向する内面に沿う方向に移動して傾斜されるので、係合部材を一方の対向する内面に沿う方向に移動させて、縦枠または横枠を安定した状態にて傾斜させることが可能である。このため、連結された一対のブロック材にて形成される２次元方向の角度だけでなく、係合部材の移動により２次元の方向と直交する方向への傾斜も含む３次元方向の角度を、縦枠と横枠とにて形成し、かつ高い強度を備えて連結することが可能である。
【０００７】
かかるコーナー部材であって、前記一対のブロック材は、所定方向の軸を中心に回動自在に連結されていることが望ましい。  
このようなコーナー部材によれば、一対のブロック材を、軸を中心に回動させることにより２次元方向に任意の角度をなすように配置させることが可能である。また、連結された状態で一対のブロックが回動されるので、一対のブロック材の角度を変更させるべく回動させつつ容易に所望の角度に設定することが可能である。
【０００８】
かかるコーナー部材であって、前記一方のブロック材が前記縦枠または前記横枠に挿入された際に、当該縦枠または当該横枠の前記他方の対向する内面と、前記一方のブロック材との間に間隙が形成されるように構成されていることが望ましい。  
このようなコーナー部材によれば、係合部材が接触されている他方の対向する内面と、ブロック材との間には間隙が形成されるので、係合部材と接触している縦枠または横枠は、係合部材が係合されているブロック材に対して、間隙が形成されている範囲で、他方の内面が対向する方向に相対移動することが可能である。このため、ブロック材同士が形成する角度と異なる方向に係合部材と縦枠または横枠とを容易に移動させることが可能である。
【０００９】
かかるコーナー部材であって、前記一対のブロック材及び前記係合部材が、各々の接合面の形状が同一に形成された前記縦枠または前記横枠に挿入されつつ前記縦枠と前記横枠とが接合される際に、前記縦枠の接合面と前記横枠の接合面とが重なるように、前記一対のブロック材が回動されるとともに前記係合部材が移動されることにより、前記縦枠と前記横枠とのなす角度が決定されることが望ましい。  
このようなコーナー部材によれば、縦枠と横枠とが所望の角度をなすとともに接合面の形状が同一に形成されているので、縦枠または横枠をブロック材に挿入しつつ縦枠の接合面と横枠の接合面とが重なるように接合するだけで、一対のブロック材が回動されるとともに係合部材が移動されて、縦枠と横枠とを所望の角度に形成することが可能である。このため、容易に縦枠と横枠とを所望の角度により正確に形成することが可能である。
【００１０】
また、前記コーナー部材を用いて形成したことを特徴とするパネルユニットである。  
このようなパネルユニットによれば、面材が取り付けられる枠体を構成する縦枠と横枠とは、連結された一対のブロック材にて形成される２次元方向の角度だけでなく、係合部材の移動により２次元の平面と直交する方向への傾斜も含む３次元の角度を形成するように、高い強度を備えて連結されているので、３次元の角度をなすように面材が取り付けられ高い強度を有するパネルユニットを形成することが可能である。
【発明の効果】
【００１１】
本発明によれば、２本の枠材が３次元方向の角度を形成し、かつ、高い強度を有するように接合することが可能なコーナー部材、及び、このコーナー部材を用いたパネルユニットを提供することができるという効果がある。
【発明を実施するための最良の形態】
【００１２】
以下、本発明の一実施形態に係るコーナー部材、及び、このコーナー部材を用いたパネルユニットについて図面を参照して説明する。本実施形態においては、縦枠と横枠とを有する枠体に面材としてのガラスが設けられたパネルユニットとしてのカーテンウォールを例に挙げて説明する。
【００１３】
図１に示すように、本実施例のパネルユニットとしてのカーテンウォール１０が用いられた建物１は、外壁面１ａに複数のカーテンウォール１０が備えられている。そして、建物１の外壁面１ａは図３に示すように側方から見ると上方に向かって建物１の奥行き方向の幅が狭くなるように湾曲されており、かつ図２に示すように上方から見ると中央が最も突出し左右の端に向かって建物１の奥行きが狭くなるように湾曲されている。つまり、建物１の外壁面１ａは、３次元方向に湾曲する曲面をイメージするように、その曲面を分割した複数の曲面部を平面状とした多面体を形成するようにカーテンウォール１０が躯体に取り付けられている。壁面を構成する複数のカーテンウォール１０は、各々の枠体及びガラスがなす角度は互いに僅かに相違するが、構成は同じであるため、以下の説明では１つのカーテンウォール１０について説明する。
【００１４】
図４に示すように、１つのカーテンウォール１０は、２本の縦枠１４と２本の横枠１６とで構成される枠体１２と、三角形状に形成された面材としての４枚のガラス１８と、隣接するガラス１８同士の縁に設けられた無目１９とを有している。縦枠１４と横枠１６とはアルミニウム製の押出成形部材であり同一部材で構成されている。横枠１６には図５に示すように長手方向に沿って貫通する２つの中空部１６ａを有し、中空部１６ａの断面は矩形状を成している。縦枠１４と横枠１６とは同一部材で構成されるため縦枠１４にも断面が矩形状をなす２つの中空部１４ａ（図６）が設けられている。２本の縦枠１４と２本の横枠１６とは、各々の中空部１４ａ、１６ａに挿入された単一のコーナー部材３０により接合されている。
【００１５】
図５はコーナー部材３０が横枠１６に装着された状態を示しているが、縦枠１４の接合面１４ｂと横枠１６の接合面１６ｂとは同一の形状をなし、縦枠１４の接合面１４ｂと横枠１６の接合面１６ｂとが重なり合うように、コーナー部材３０を介して接合される。このとき、縦枠１４も横枠１６とは、同一の部材から切断されて形成されるが、縦枠１４及び横枠１６の切断角度は、縦枠１４の切断面（接合面１４ｂ）の形状と横枠１６の切断面（接合面１６ｂ）の形状とが一致し、それら切断面が重なり合うように縦枠１４と横枠１６とを配置した際に、縦枠１４と横枠１６とが所定の角度をなすように切断されている。また、枠体１２における建物１の内側には、カーテンウォール１０を建物１の躯体に固定するための固定部（不図示）が設けられている。
【００１６】
次に、コーナー部材３０について説明する。以下の説明では、説明の便宜上、縦枠１４及び横枠１６を角パイプとして説明する。図６〜図８に示すように、本実施形態のコーナー部材３０は、縦枠１４の中空部１４ａ及び横枠１６の中空部１６ａにそれぞれ挿入される２つのブロック材３２と、各ブロック材３２に係合される２つ係合部材３４と、２つのブロック材３２を回動自在に連結するための環状軸体３６とを有している。１つのコーナー部材３０を構成する２つのブロック材３２及び２つの係合部材３４はそれぞれ同一の部材である。また、ブロック材３２、係合部材３４、環状軸体３６はいずれも、例えばアルミニウム製の部材である。
【００１７】
ブロック材３２は、縦枠１４または横枠１６への挿入方向に長く形成されており、角型ブロック状の本体部３２ａと、２つのブロック材３２を連結するための連結部３２ｂとを有している。連結部３２ｂは、本体部３２ａから延出されて設けられており、環状軸体３６が嵌め込まれる嵌入部３２ｃが形成されている。連結部３２ｂは、本体部３２ａと反対側の部位が分断されている。また、連結部３２ｂは、本体部３２ａと繋がった部位３２ｅ、及び、分断された部位３２ｄを除き外周が、環状軸体３６が嵌入される嵌入部３２ｃと同心の円弧状に形成されている。２つのブロック材３２は連結部３２ｂの嵌入部３２ｃに環状軸体３６が嵌入されて回動されるため、嵌入部３２ｃが貫通されている方向は、２つのブロック材３２が互いに回動する際の軸方向となる。また、連結部３２ｂには嵌入部３２ｃの中心に向かって貫通する貫通孔３２ｆが設けられている。この貫通孔３２ｆは、環状軸体３６が挿通されて２つのブロック材３２が回動方向に、設定された角度となる位置にて環状軸体３６に固定するためのねじが貫通される。
【００１８】
本体部３２ａには、ブロック材３２が回動する軸方向に貫通する矩形状の開口３２ｇが設けられている。この開口３２ｇは、係合部材３４が挿入されて軸方向に移動することができるように形成されている。本体部３２ａの矩形状の開口３２ｇは、連結部３２ｂ側の元部３２ｈと元部３２ｈが有する内面３２ｉと対向する内面３２ｊを有する先端部３２ｋと元部３２ｈと先端部３２ｋとを繋ぎブロック材３２の回動方向にて内面３２ｍが対向する２つの板部３２ｎとを有している。２つの板部３２ｎの外面３２ｏ間の距離Ｌ１は、このブロック材３２が挿入される矩形状をなす縦枠１４または横枠１６が有する２組の対向する内面１４ｃ、１４ｄ、１６ｃ、１６ｄのうちの一方の対向する内面１４ｃ、１６ｃの間隔Ｌ２とほぼ一致している。また、２つの板部３２ｎの軸方向における幅Ｌ３は、このブロック材３２が挿入される矩形状をなす縦枠１４または横枠１６が有する２組の対向する内面１４ｃ、１４ｄ、１６ｃ、１６ｄのうちの他方の対向する内面１４ｄ、１６ｄの間隔Ｌ４より狭く形成されている。
【００１９】
本体部３２ａが有する２つの板部３２ｎのうちの一方には、縦枠１４または横枠１６とブロック材３２及び係合部材３４とを固定するためのねじが貫通する孔３２ｐが設けられている。この孔３２ｐは、軸と直交する方向に並べて、例えば３つ設けられている。また、本体部３２ａの軸方向における幅は、連結部３２ｂの軸方向の幅の約２倍である。そして、２つのブロック材３２の連結部３２ｂを、本体部３２ａに対する軸方向の位置が相違するように配置して軸方向に重ね合わせ、２つのブロック材３２の嵌入部３２ｃに環状軸体３６が嵌入されて２つのブロック材３２が連結されている。
【００２０】
係合部材３４は、断面が矩形状をなすアルミニウム製等の角パイプ材である。矩形状の係合部材３４が有する２対の側板部３４ａ、３４ｂのうちの対向する一方の側板部３４ａにおける外面間の距離は、ブロック材３２の板部３２ｎの内面３２ｍ間の距離とほぼ等しく形成され、係合部材３４が有する２対の側板部３４ａ、３４ｂのうちの対向する他方の側板部３４ｂにおける外面間の距離は、この係合部材３４が係合されるブロック材３２とともに挿入される矩形状をなす縦枠１４または横枠１６が有する２組の対向する内面１４ｃ、１４ｄ、１６ｃ、１６ｄのうちの他方の対向する内面１４ｄ、１６ｄの間隔とほぼ等しく形成されている。また係合部材３４の長手方向の長さは、ブロック材３２の元部３２ｈの内面３２ｉと先端部３２ｋの内面３２ｊとの間隔より短く形成されている。このため、係合部材３４はブロック材３２に挿入された状態では、ブロック材３２の２つの板部３２ｎの内面３２ｍに係合部材３４の一方の側板部３４ａが接触されるように係合され、係合された状態でブロック材３２の２つの板部３２ｎの内面３２ｍに沿う方向に移動、及び、揺動自在に構成されている。
【００２１】
そして、コーナー部材３０が組み立てられた状態では、環状軸体３６を中心として２つのブロック材３２が２次元方向に回動し、各ブロック材３２に係合された係合部材３４は、ブロック材３２の回動動作とは別に独立してブロック材３２の２つの板部３２ｎの内面３２ｍに沿う方向に移動、及び、揺動可能である。
【００２２】
本実施形態のコーナー部材３０を用いて縦枠１４と横枠１６との接合する方法について説明する。ここでは、横枠１６から先にコーナー部材３０を固定する例について説明する。また、接合される縦枠１４及び横枠１６は、縦枠１４と横枠１６とが所望の角度にて接合されるように、接合される端部がそれぞれ切断されている。すなわち、縦枠１４と横枠１６とを所望の角度に配置した際に、切断された縦枠１４の切断面１４ｂと横枠１６の切断面１６ｂとが重なり合うように縦枠１４と横枠１６とに加工が施されている。さらに、コーナー部材３０に後から取り付けられる縦枠１４には、縦枠１４と横枠１６とが所望の角度に配置された際に、ブロック材３２に設けられた孔３２ｐと重なる位置にねじが挿通される挿通孔１４ｅが予め形成されている。
【００２３】
まず、コーナー部材３０の一方のブロック材３２の貫通孔３２ｆを貫通させたねじにてブロック材３２と環状軸体３６とを固定する。
【００２４】
次に、環状軸体３６と固定されたブロック材３２を係合部材３４が係合されている状態で横枠１６に挿入し、横枠１６に設けられた挿通孔１６ｅとブロック材３２に設けられた孔３２ｐとを位置合わせしてブロック材３２に係合されている係合部材３４にドリル等を用いて下孔を形成する。形成された下孔に横枠１６及びブロック材３２を貫通させたねじを螺合して固定する。このときには、横枠１６とブロック材３２と係合部材３４とがいずれも長手方向に沿って平行になるように配置される。
【００２５】
そして、係合部材３４が係合されている状態の他方のブロック材３２を縦枠１４に挿入する。このとき、縦枠１４と横枠１６とが２次元方向にのみ傾斜するように縦枠１４と横枠１６との接合面１４ｂ、６ｂが形成されていると、図９（ａ）に示すように縦枠１４、横枠１６、コーナー部材３０が配置される。ここでは、縦枠１４が横枠１６に対し予め設定されている所望の角度をなすように、ブロック材３２と係合部材３４とが挿入された縦枠１４を移動させながら縦枠１４の接合面１４ｂと横枠１６の接合面１６ｂとが重なり合うように縦枠１４を移動させる。このように縦枠１４を移動させると、２つのブロック材３２が２次元方向に回動するとともに、縦枠１４の一組の内面１４ｄに接触されている係合部材３４が縦枠１４と共に移動される。このとき、縦枠１４とブロック材３２とは軸方向に間隙Ｌ（Ｌａ＋Ｌｂ）を有しているので、間隙Ｌの範囲で、縦枠１４とこの縦枠１４と軸方向に接触している係合部材３４とがブロック材３２に対し相対移動する。すなわち、係合部材３４はブロック材３２が接触している縦枠１４の一方の対向する内面１４ｃに沿う方向に移動して図９（ｂ）に示すように傾斜される。
【００２６】
そして、縦枠１４の接合面１４ｂと横枠１６の接合面１６ｂとが重なり合い、縦枠１４と横枠１６とが所望の角度を形成した後に、形成された角度を維持したままで縦枠１４を横枠１６から離す方向に移動させ、縦枠１４に挿入されているブロック材３２の連結部３２ｂと環状軸体３６とをねじで固定する。その後、縦枠１４を戻して縦枠１４の接合面１４ｂと横枠１６の接合面１６ｂとが重なり合う状態として縦枠１４、ブロック材３２、係合部材３４を、ねじを螺合して固定する。その後、縦枠１４の接合面１４ｂと横枠１６の接合面１６ｂと間にシール材（不図示）を充填する。
【００２７】
本実施形態のコーナー部材３０によれば、連結された一対のブロック材３２が環状軸体３６を中心に回動して所定の角度を形成するので、２次元方向に任意の角度を成すように縦枠１４と横枠１６とを配置させることが可能である。このとき、一対のブロック材３２は連結された状態で回動するので、縦枠１４と横枠１６との角度を変更させるべく回動させつつ容易に所望の角度に設定することが可能である。
【００２８】
また、係合部材３４が係合された状態でブロック材３２が縦枠１４または横枠１６に挿入され、挿入された縦枠１４または横枠１６の２組の対向する内面１４ｃ、１４ｄ、１６ｃ、１６ｄのうちの一方の対向する内面１４ｃ、１６ｃにブロック材３２の２つの板部３２ｎが接触されている。このため、接触されている内面１４ｃ、１６ｃ側においてブロック材３２が縦枠１４または横枠１６との間でガタつくことなく装着される。また、各ブロック材３２に係合されている係合部材３４は縦枠１４または横枠１６の他方の対向する内面１４ｄ、１６ｄに接触されているので、他方の対向する内面１４ｄ、１６ｄ側においては係合部材３４に縦枠１４または横枠１６が、ガタつくことなく装着される。このため、ブロック材３２と係合部材３４とが挿入された縦枠１４または横枠１６は、一方の対向する内面１４ｃ、１６ｃ側及び他方の対向する内面１４ｄ、１６ｄ側のいずれにも、ガタつくことなく安定した状態が保たれ、高い剛性を有する枠体１２を形成することが可能である。
【００２９】
さらに、係合部材３４は、縦枠１４と横枠１６との相対移動に伴って、一方の対向する内面１４ｃ、１６ｃに沿う方向に移動して傾斜されるので、ブロック材３２及び係合部材３４が挿入されている縦枠１４及び横枠１６を安定した連結状態を維持したままで軸方向にも移動させることが可能である。このため、縦枠１４と横枠１６とは、連結された一対のブロック材３２にて形成される２次元方向の角度だけでなく、係合部材３４の移動により前記２次元方向と直交する方向への傾斜も含む３次元の角度を形成するように、高い強度を備えて連結させることが可能である。
【００３０】
このとき、係合部材３４が接触されている縦枠１４及び横枠１６の他方の対向する内面１４ｄ、１６ｄと、ブロック材３２との間には間隙Ｌが形成されているので、係合部材３４と接触している縦枠１４または横枠１６は、係合部材３４が係合されているブロック材３２に対して、間隙Ｌの形成されている範囲で、他方の内面１４ｄ、１６ｄが対向する方向に相対移動することが可能である。このため、連結されている２つのブロック材３２が形成する角度と異なる方向に係合部材３４と縦枠１４または横枠１６とを容易に移動させることが可能である。
【００３１】
また、縦枠１４と横枠１６とが所望の角度を形成する際に縦枠１４と横枠１６との接合面１４ｂ、１６ｂが重なり合うように形成された縦枠１４と横枠１６とに、ブロック材３２と係合部材３４とを挿入させつつ縦枠１４と横枠１６とを接合させるだけで、縦枠１４及び横枠１６とともに一対のブロック材３２が回動され、さらに係合部材３４も移動されて縦枠１４と横枠１６とを所望の角度に接合することが可能である。このため、容易に縦枠１４と横枠１６とを所望の角度により正確に形成することが可能である。
【００３２】
また、上記コーナー部材３０を用いたカーテンウォール１０によれば、ガラス１８が取り付けられる枠体１２を構成する縦枠１４と横枠１６とは、連結された一対のブロック材３２にて形成される２次元方向の角度だけでなく、係合部材３４の移動により２次元方向と直交する方向への傾斜も含む３次元の角度を形成するように高い強度を備えて連結され、３次元の角度をなすようにガラス１８が取り付けられたカーテンウォール１０を実現することが可能であり、外壁が曲面をイメージするような建物１の外壁材として好適である。
【００３３】
上記実施形態においては、横枠１６にコーナー部材３０の一方のブロック材３２を固定した後に縦枠１４を移動させて所望の角度をなすように接合した例について説明したが、縦枠１４に一方のブロック材３２を固定した後に横枠１６を移動させて所望の角度をなすように接合しても良い。また、横枠１６と、横枠１６に挿入されたブロック材３２と、ブロック材３２に係合された係合部材３４とが長手方向に平行になるように固定した例について説明したが、縦枠１４と、ブロック材３２と、係合部材３４とが長手方向に平行になるように固定してもよく、また、縦枠１４及び横枠１６ともに、ブロック材３２及び係合部材３４と平行とならないように固定しても良い。
【００３４】
また、上記実施形態においては、２つのブロック材３２が回動自在に連結されている例について説明したが、図１０に示すように、２つのブロック材３２の連結部に各々接合させる際に互いに当接される当接面３２ｒを形成しておき、この当接面３２ｒを縦枠１４及び横枠１６と同様に、２つのブロック材３２の当接面３２ｒ同士が重ね合わされることにより、２つのブロック材３２が所望の角度をなすように形成しておいてもよい。
【００３５】
上記実施形態において、ブロック材３２、係合部材３４、環状軸体３６をいずれもアルミニウム製の部材としたが、これに限るものではない。また、縦枠１４及び横枠１６を断面が矩形状の中空の部材として説明したが、ブロック材３２及び係合部材３４がそれぞれ面接触してガタつかない構成であれば、縦枠１４及び横枠１６の断面は、六角形状、八角形状等の多角形状であっても構わない。
【００３６】
また、上記実施形態において、係合部材３４は角パイプ材としたが、中実のブロック材３２であっても構わない。さらに、係合部材３４は、ブロック材３２における２つの板部３２ｎの対向する内面３２ｍに接触し、かつ、縦枠１４または横枠１６においてブロック材３２と接触していない一組の対向する内面１４ｄ、１６ｄに接触する形態であれば、縦枠１４または横枠１６に挿入される方向と直交する断面の形状は、コ字状、Ｈ字状等であっても構わない。
【００３７】
さらに、上記実施形態においては、パネルユニットをカーテンウォール１０として説明したが、枠体にガラスが取り付けられたサッシ窓であっても構わない。
【００３８】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００３９】
【図１】本実施形態に係るコーナー部材及びこのコーナー部材を用いたカーテンウォールが取り付けられる建物を説明するための外観図である。
【図２】建物の側面形状を示すモデル図である。
【図３】建物の平面形状を示すモデル図である。
【図４】カーテンウォールの基本的な構成を示す概念図である。
【図５】コーナー部材が横枠に装着された状態を示す斜視図である。
【図６】縦枠と横枠とが接合された状態を示す断面図である。
【図７】コーナー部材を示す斜視図である。
【図８】コーナー部材の構成を説明するための分解図である。
【図９】図９（ａ）は、２次元方向にのみ傾斜した際のコーナー部材の様子を示す図である。図９（ｂ）は、３次元方向に傾斜した際のコーナー部材の様子を示す図である。
【図１０】コーナー部材の他の実施形態を示す断面図である。
【符号の説明】
【００４０】
１０  カーテンウォール、１２  枠体、
１４  縦枠、１４ｂ  接合面、
１６  横枠、  １６ｂ  接合面、１８  ガラス、
３０  コーナー部材、３２  ブロック材、
３４  係合部材、３６  環状軸体、Ｌ  間隙
【図１】
2008075282.tif 000003
【図２】
2008075282.tif 000004
【図３】
2008075282.tif 000005
【図４】
2008075282.tif 000006
【図５】
2008075282.tif 000007
【図６】
2008075282.tif 000008
【図７】
2008075282.tif 000009
【図８】
2008075282.tif 000010
【図９】
2008075282.tif 000011
【図１０】
2008075282.tif 000012